(57)【要約】　　　（修正有）【課題】植物を育てるにあたり、給水を人間の感覚に頼らず客観的に表示又は音声で伝え、その指示で給水が行えるようにする。植物とコミュニケーションを計り、接する人間が癒されるようにする。【解決手段】植物の鉢１に本体３、温度・湿度センサー４、光センサー５、人体センサー６を取り付けて、温度、湿度、から給水時期を液晶画面に表示及び音声で伝えるようにした。また給水すると返事を返し朝、昼、夜、その時によって色々な言葉を発声し人間が楽しく使用出来るようにした。【選択図】図２
0003099480.tif 000002
【実用新案登録請求の範囲】
【請求項１】
植物の鉢に温度・湿度センサー、光センサー、人体センサーを取り付け、温度と湿度の関係をプログラム処理し、植物の健康状態を液晶画面及び音声で確認出来る植物育成観賞補助具。
【請求項２】
時計機能を持ち、時間に見合った会話や挨拶が出来、話かけや応答する音声発生機能を持った植物育成観賞補助具。
【考案の詳細な説明】
【０００１】
【考案が解決しようとする課題】
▲１▼従来は、一般家庭において植物を育てるにあたり、給水管理は人間の第六感で行い水不足、水のやり過ぎで枯れ、根腐れ等が発生していた。
▲２▼植物は単なる観賞用であり、人間とのコミュニケーションを計る事はできなかった。
【０００２】
【課題を解決するための手段】
▲１▼上記目的を達成する為に、図１、図２、図３を参照しながら説明すると、植物の鉢に本体３を取り付け金具７で取り付け、温度・湿度センサー４は接続ケーブル８を経由して鉢の地中へ埋め込む、温度と湿度の関係をプログラム処理し、鉢の中が乾いた時は温度・湿度センサー４が検知し「水が欲しいよう」等のメッセージを液晶表示し人間が近づくと人体センサー６が検知して、スピーカより音声で呼びかける、ここで給水すると「ありがとう」等の返事を返す。
温度・湿度センサーは本体とケーブルで接続されているので鉢物の背の高い植木等は本体を植木の適度な高さの位置へ取り付けることによって人間の目の高さで対話する事が出来る。
▲２▼時計機能、光センサー５を利用し、朝時間は明るくなると「おはよう今朝は寒いよ」とか「暖かいよ」等マイコンを搭載し夜時間は「お休みなさい」や更に遅くなると「いいかげんに寝なさい」また、昼間等は人間が近づくと時々独り言を言ったりする人間と対話をしているような感覚の持てる植物育成観賞補助具。
【０００３】
【考案の効果】
植物の育成を人間の第六感でなく、上記センサーで環境（温度、湿度等）を読み取り　このプログラムに基づき育成する事が出来るため失敗は無くなる、（植物の品種によりプログラムを替える必要は有るが）また対話しているような感覚から動物等のペットと接しているような癒し効果を得ることができる。
【例】朝に給水が必要な時、「おはよう、喉が渇いたよう」と表示し、近づくと音声が出る。さらに給水すると「ありがとう」と表示及び音声が出る。
【図面の簡単な説明】
【図１】植物の鉢と本体部分とセンサーの側面図である。
【図２】本体表示部の正面図である。
【図３】本体コントロールのブロック図である。
【符号の説明】共通符号図１、図２、図３を参照
１．植物の鉢
２．植物
３．表示及びスピーカー付きコントロール本体
３−１．表示部　３−２．スピーカー
４．温度・湿度センサー
５．光センサー
６．人体センサー
７．本体取り付け金具
８．接続ケーブル
【図１】
0003099480.tif 000003
【図２】
0003099480.tif 000004
【図３】
0003099480.tif 000005
【手続補正書】
【提出日】平成15年5月8日(2003.5.8)
【手続補正１】
【補正対象書類名】明細書
【補正対象項目名】全文
【補正方法】変更
【補正の内容】
【実用新案登録請求の範囲】
【請求項１】図２の如く地温・水分センサー５の付いた温水分計と、光センサー６、人体センサー７を取り付け、植物の品種設定スイッチ１３を設け設定された植物の地温と水分の関係をＣＰＵ１４でプログラム処理し、年間を通して植物の最適環境状態を音声及び液晶画面で確認出来る様にした植物育成観賞補助具。
【請求項２】ＣＰＵ１４は時計時間情報機能を持ち、音声合成装置を内蔵し図４の如く人体センサー７が人を感知するとその時の状況に応じて音声を発生し液晶に表示する。また図５の如く光センサー６は太陽の光または電球等の光を感知しＣＰＵ１４の持っている時間情報で朝か夜かを判断しその時の状況に応じて「おはよう」「おやすみ」等の音声を発生する植物育成観賞補助具。
【考案の詳細な説明】
【０００１】
【考案の属する技術分野】
本考案は観賞用植物において、センサー及びマイコンを使用し、その植物の最適な育成方法に関するものである。
【０００２】
【従来の技術】
従来は、一般家庭において植物を育てるにあたり、給水の管理に、水分センサーと液晶表示の付いた製品はあるが、液晶表示の場合つい見落として水不足になり枯れさせてしまう事、季節や植物の品種違いにより水をやり過ぎた為，根腐れを起こしてしまった等の不具合が多々発生している、以上のように植物はどれでも同じ管理方法ではダメにしてしまうものである。
【０００３】
植物は単なる観賞用であり、適切な育成管理ができる補助具及び人間とのコミュニケーションを計るような製品はなかった。
【考案が解決しようとする課題】
観賞用植物には水分管理だけでなく地温管理と季節も重要な事柄である。
また植物の品種違いによる管理方法と、見落としのないように人が近づいた時、その人が気付く方法を取り入れる事が重要でもある。
【課題を解決するための手段】
本考案は、上述した従来の問題を解消する為になされたものであり、図１、図２、図３を参照しながら説明すると、植物の鉢２に本体３を取り付け金具８で簡単に取り付けられ、地温・水分センサー５は接続ケーブル９を経由して鉢の地中へ挿し込む、人間が近づくと人体センサー７が感知して、地温と水分との関係を図４図５の様にプログラム処理し、鉢の中が乾いた時は地温・水分センサー５が検知し「水が欲しいよう」等のメッセージをスピーカより音声で呼びかけまた液晶表示する、ここで給水すると水分センサーが検知し「ありがとう」等の返事を返す。
プログラムの内容は
１．観賞用植物の品種　その植物の特性（地温管理、水分管理及び水やりの間隔）
２．時間情報管理　カレンダー付き２４時間時計（季節を考慮するため）
３．音声合成ＲＯＭ内蔵
温度・水分センサーは本体とケーブル９で接続されているので鉢物の背の高い樹木等は本体を樹木の適度な高さの位置へ取り付けることによって人間の目の高さで対話及び監視する事が出来る。
時計情報機能、光センサー６を利用し、朝時間の場合は明るくなり鉢中温度が設定温度より低いと「おはよう今朝は寒いよ」とか鉢中温度が設定より高いと「暖かいね」または「暑いよ」等発声し夜時間は電球等の光があると「お休みなさい」や更に遅くなると「いいかげんに寝なさい」また、普段は人間が近づくと「快適．快適」や「寒い．寒い」とか「今日の天気はどうですか？」等独り言を言ったりして、人間と対話をしているような感覚が持てる面白さを持っている。
また電池を長持ちさせるため人間を感知した時や光の変化（暗→明）また明るい状態での夜時間（２１時．２３時）に動作し他の時間では変化がなければ電池節約モードに入る。
【０００４】
【考案の効果】
植物の育成を、上記センサーで環境（地温、水分等）を読み取り、その設定された植物にとって最適になるよう音声で指示してくれる。
このプログラムに基づき育成する事が出来るため失敗は無くなり、また対話しているような感覚から動物等のペットと接しているような癒し効果を発揮することができる。
使い方は、最初に２つの設定スイッチを押しながら電源スイッチをＯＮして月・日・時・分を設定し次に植物の品種を一覧表より選んで２桁の数字を入力し１桁目を３秒以上長押しすると設定完了します。これで入力された観賞用植物の最適環境への指示が出されるようになります。また電源がＯＮの時２つの設定スイッチを３秒以上押し続けると品種のみがリセットされ再度品種の設定ができる。
１つの用具で数品種を掛け持ちで２〜３日置きに管理する事も可能である。
例としては、朝に給水が必要な時、人が近づくと「おはよう、喉が渇いたよう」と音声が出て液晶表示する。水分、地温が適切な時は、「今日も快適．快適」や「今日も元気．元気だよ」という言葉を発声する。
【図面の簡単な説明】
【図１】植物の鉢と本体部分とセンサーを取り付けた時の側面図である。
【図２】本体の正面図及び右側面図である。（７５Ｗ×９５Ｈ×２５Ｄ）
【図３】本体コントロールのブロック図である。
【図４】人体を感知した時の動作フローチャートである。
【図５】光を感知した時の動作フローチャートである。
【符号の説明】共通符号図１、図２、図３を参照
１．観賞用植物
２．植物の鉢
３．表示及びスピーカー付きコントロール本体
４．液晶表示部
５．地温・水分センサー
６．光センサー
７．人体センサー
８．本体から鉢への取り付け金具
９．本体と地温、水分センサーの接続ケーブル
１０．スピーカー部
１１．電源スイッチ
１２．音声ボリューム
１３．入力設定スイッチ（年．月．日．植物の品種）
１４．コントロールＣＰＵ


【手続補正２】
【補正対象書類名】図面
【補正対象項目名】全図
【補正方法】変更
【補正の内容】
【図１】
0003099480.tif 000006
【図２】
0003099480.tif 000007
【図３】
0003099480.tif 000008
【図４】
0003099480.tif 000009
【図５】
0003099480.tif 000010
【手続補正書】
【提出日】平成15年8月26日(2003.8.26)
【手続補正１】
【補正対象書類名】明細書
【補正対象項目名】実用新案登録請求の範囲
【補正方法】変更
【補正の内容】
【実用新案登録請求の範囲】
【請求項１】
地温・水分センサーの付いた温水分計と、光センサー、人体センサーを取り付け、植物の品種設定スイッチを設け設定された植物の地温と、水分の関係をＣＰＵでプログラム処理し、年間を通して植物の最適環境状態を、音声及び液晶画面で確認出来る様にした植物育成観賞補助具。
【請求項２】
ＣＰＵに時計機能と音声合成機能を内蔵し、請求項１のセンサー信号検出により、その時の状況に見合った表示、音声出力する植物育成観賞補助具。